(57)【要約】  画像を表示する表示画面を有する表示ユニットを、表示画面の仰角調整自在に支持する支持機構と、一端縁が、表示ユニット下部に、水平方向の回動軸の回りに回動自在に連結されることにより表示ユニットに対し表示画面側に開閉自在な連結部材と、表示ユニットから開いた状態にある連結部材の上に位置し、連結部材に、回動軸と同一方向の回動軸の回りに回動自在に連結された、表示ユニットに対し連結部材とともに開閉するキーボードユニットとを備えた。
2008117453.tif 000002
【特許請求の範囲】
【請求項１】
画像を表示する表示画面を前面に有する表示ユニットと、
前記表示ユニットを、前記表示画面の仰角調整自在に支持する支持機構と、
一端縁が、前記表示ユニット下部に、水平方向の回動軸の回りに回動自在に連結されることにより該表示ユニットに対し前記表示画面側に開閉自在な連結部材と、
前記表示ユニットから開いた状態にある前記連結部材の上に位置し、該連結部材に、前記回動軸と同一方向の回動軸の回りに回動自在に連結された、前記表示ユニットに対し前記連結部材とともに開閉するキーボードユニットとを備えたことを特徴とする電子機器。
【請求項２】
前記表示ユニットが、該表示ユニットに前記キーボードユニットのキーボード操作に応じた動作を行わさせるプログラムを実行する演算機能を内蔵したディスプレイ一体型コンピュータであることを特徴とする請求項１記載の電子機器。
【請求項３】
前記キーボードユニットが、前記連結部材に回動自在に連結されたキーボード台と、該キーボード台上に着脱自在に載置されるキーボードとからなることを特徴とする請求項１記載の電子機器。
【請求項４】
前記キーボード台が、前記キーボードが載置された状態で前記表示ユニットに対し前記連結部材とともに開閉する際の当該キーボード台からの前記キーボードの位置ずれを防止する保持手段を有することを特徴とする請求項３記載の電子機器。
【請求項５】
前記保持手段は、前記キーボード台上に載置されたキーボードを磁力で保持するものであることを特徴とする請求項４記載の電子機器。
【発明の詳細な説明】
【技術分野】
【０００１】
本発明は、画像を表示する表示画面を有する電子機器に関する。
【背景技術】
【０００２】
従来より、画像を表示する表示画面を前面に有する表示ユニットを備えた電子機器については、表示画面の仰角を調節する機構に関する提案がなされている（例えば、特許文献１、特許文献２参照）。【０００３】
図１および図２は、従来の電子機器の側面図である。【０００４】
特許文献１には、図１に示すような、画像を表示する表示画面１１０を前面に有する表示ユニット１１１が、ボトムプレート１２１上に立設された支柱１２０に、表示画面１１０の仰角が調節自在となるように取り付けられた電子機器１００が提案されている。また、特許文献２には、図２および図３に示すような、一端が台座２２０上に回動自在に取り付けられるとともに、他端が、表示画面２１０を前面に有する表示ユニット２１１の左右の側面に回動自在に取り付けられた２本の平行なアーム２３０と、表示ユニット２１１の下部に一端が固定され、表示画面の仰角の変化に応じて他端が台座上の位置Ａと位置Ｂとの間を移動する補助脚２４０とで表示ユニット２１１を支持する電子機器２００が提案されている。【０００５】
ところで、電子機器の中には、表示ユニットの下部に、水平方向の回動軸の回りに回動自在の連結部材を介してキーボードを連結し、この表示ユニットの表示画面側にこのキーボードを開閉自在にしたキーボード一体型のものがある。
【特許文献１】特開平１０−２２２２４４号公報
【特許文献２】特開平７−２６１６７３号公報
【発明の開示】
【０００６】
しかしながら、上記文献に提案されている、表示画面の仰角変更が可能な電子機器をキーボード一体型のものとすると、仰角の変化に伴ってキーボードの傾きが変化してしまうことから、仰角によってはキー操作がし難くなるおそれがある。
【０００７】
本発明は、上記事情に鑑み、表示画面の仰角変更に伴う、キー操作に対する悪影響が排除された電子機器を提供することを目的とする。
【０００８】
上記目的を達成するための本発明の電子機器は、
画像を表示する表示画面を前面に有する表示ユニットと、
上記表示ユニットを、上記表示画面の仰角調整自在に支持する支持機構と、
一端縁が、上記表示ユニット下部に、水平方向の回動軸の回りに回動自在に連結されることによりこの表示ユニットに対し上記表示画面側に開閉自在な連結部材と、
上記表示ユニットから開いた状態にある上記連結部材の上に位置し、この連結部材に、上記回動軸と同一方向の回動軸の回りに回動自在に連結された、上記表示ユニットに対し上記連結部材とともに開閉するキーボードユニットとを備えたことを特徴とする。
【０００９】
本発明の電子機器では、表示ユニットが、表示画面の仰角調整自在に支持されていることから、表示画面の仰角が変化すれば当然に表示ユニットの床面に対する角度も変化する。このため、表示ユニット下部に回動自在に連結されている連結部材の、床面に対する角度も変化する。ここで、この連結部材にキーボードユニットが備えられていたと仮定すると、表示画面の仰角が変化する毎に、床面に対するキーボードユニットの角度も変化することから、角度によってはキーボード操作に悪影響を及ぼしかねない。しかし、本発明の電子機器では、キーボードユニットは、表示ユニットから開いた状態にある連結部材の上に位置するように、連結部材に回動自在に連結されていることから、床面に対する表示ユニットの角度が変化してもキーボードユニットへの影響はない。したがって、本発明の電子機器によれば、表示画面の仰角変更に伴う、キー操作に対する悪影響を排除することができる。
【００１０】
ここで、本発明の電子機器の上記表示ユニットが、この表示ユニットに上記キーボードユニットのキーボード操作に応じた動作を行わさせるプログラムを実行する演算機能を内蔵したディスプレイ一体型コンピュータであってもよく、本発明の電子機器の上記キーボードユニットが、上記連結部材に回動自在に連結されたキーボード台と、このキーボード台上に着脱自在に載置されるキーボードとからなるものであってもよい。
【００１１】
また、本発明の電子機器の上記キーボード台が、上記キーボードが載置された状態で上記表示ユニットに対し上記連結部材とともに開閉する際の当このキーボード台からの上記キーボードの位置ずれを防止する保持手段を有することも好ましい態様である。
【００１２】
この様に、キーボード台からのキーボードの位置ずれを防止する保持手段を備えていると、キー操作を安定して行うことができる。
【００１３】
さらに、本発明の電子機器の上記保持手段は、上記キーボード台上に載置されたキーボードを磁力で保持するものであってもよい。
【００１４】
本発明の電子機器によれば、表示画面の仰角変更に伴う、キー操作に対する悪影響を排除することができる。
【図面の簡単な説明】
【００１５】
【図１】従来の電子機器の側面図である。
【図２】従来の電子機器の側面図である。
【図３】従来の電子機器の側面図である。
【図４】本発明の電子機器の一実施形態を左側面図である。
【図５】キーボードを表示画面に対して開いた状態を示す図である。
【図６】キーボードユニットからキーボードを取り除いた状態を示す図である。
【図７】連結部材の端縁に、キーボード台が回動自在に連結されている様子を示す図である。
【図８】本実施形態のコンピュータの背面側からの外観斜視図であり、図９は、本実施形態のコンピュータの左側面側からの透視図である。
【図９】本実施形態のコンピュータの左側面側からの透視図である。
【図１０】本実施形態のコンピュータの背面側からの外観斜視図である。
【図１１】本実施形態のコンピュータの左側面側からの透視図である。
【発明を実施するための最良の形態】
【００１６】
以下、図面を参照して本発明の実施の形態を説明する。【００１７】
図４は、本発明の電子機器の一実施形態の左側面図である。【００１８】
本実施形態であるコンピュータ１は、画像を表示する表示画面２０とコンピュータ本体とが一体化された本体ユニット２、キーボード３０と、このキーボード３０が着脱自在に保持するキーボード台３１とからなるキーボードユニット３、本体ユニット２を支持し表示画面２０の仰角調節機構を有する支持ユニット４、および、一端縁が本体ユニット２の下部に回動自在に連結され、他端縁に上記キーボード台３１が回動自在に連結された連結部材５（図５参照）で構成された、キーボード一体型のデスクトップタイプのものである。【００１９】
このコンピュータ１では、連結部材５が本体ユニット２の下部に回動自在に連結されていることから、連結部材５に回動自在に連結されたキーボード台３１が保持するキーボード３０は、表示画面２０と向かい合わせの閉状態と、表示画面２０に対して開いた開状態との間で開閉自在となっており、図４には、キーボード３０と表示画面２０とが向かい合せとなっている閉状態が示されている。【００２０】
支持ユニット４は、床面に置かれたボトムプレート４１と、本体ユニット２の背面側中段に上縁が回動自在に軸支されている支持板４２と、前縁がボトムプレート４１の後縁に回動自在に軸支されているとともに後縁が支持板４２の下縁に回動自在に軸支された補助プレート４３と、これらボトムプレート４１、支持板４２、および補助プレート４３に囲まれた内側で本体ユニット２を支持する補助支持部材４４とで構成されている。【００２１】
図５は、キーボードを表示画面に対して開いた状態を示す図である。【００２２】
図５には、キーボード３０と、本体ユニット２の下部に備えられている突出部２１に一端縁が回動自在に連結された連結部材５とが示されている。【００２３】
図６は、キーボードユニットからキーボードを取り除いた状態を示す図である。【００２４】
図６には、キーボード３０が取り除かれたことで露わになったキーボード台３１が示されている。また、図６には、キーボード台３１の上面に、キーボード３０を保持するための凹み３０ａが４箇所に備えられている様子が示されている。これら凹み３０ａの底部には、磁石３１０が配備されている。また、図示は省略するが、図５に示すキーボード３０の裏面には、これら凹み３０ａの配置に対応した配置で凸部が備えられており、その凸部の先端には金属プレートが貼り付けられている。これにより、キーボード３０の凸部をキーボード台３１の凹み３０ａに落とし込ませるだけで、キーボード台３１によるキーボード３０の保持がなされるようになっている。さらに、図６には、キーボード３０の底面を支持するキーボード台３１の上面が、表示画面２０から開いた状態の連結部材５の上面よりも上方に来ている様子が示されており、このコンピュータ１では、キーボード台３１の上面に保持されるキーボード３０と連結部材５とが接触しないようにされている。【００２５】
図７は、連結部材の端縁に、キーボード台が回動自在に連結されている様子を示す図である。【００２６】
本実施形態のコンピュータ１では、詳しくは後述する、表示画面２０の仰角を調節する仰角調節機構が支持ユニット４に備えられていることから、本体ユニット２の床面に対する角度は変化する。このため、床面に対する、本体ユニット２の突出部２１に回動自在に連結されている連結部材５の角度も変化する。ここで、この連結部材５の上面にキーボード３０が備えられていたと仮定すると、表示画面２０の仰角が変化する毎に、床面に対するキーボードの３０の角度も変化することから、角度によってはキーボード操作に悪影響を及ぼしかねない。しかし、本実施形態のコンピュータ１では、キーボード３０が備えられているキーボード台３１は、その上面が、表示画面２０から開いた状態の連結部材５の上面よりも必ず上方にくるように連結部材５に回動自在に連結されている。このため、床面に対する本体ユニット２の角度が変化してもキーボード台３１への影響はなく、キーボード台３１に保持されたキーボード３０の床面に対する角度の変化は起きない。したがって、本実施形態のコンピュータ１によれば、表示画面２０の仰角調整に伴う、キーボード３０のキー操作に対する悪影響を排除することができる。【００２７】
尚、本実施形態では、キーボード台３１がキーボード３０を保持する手段が磁力である場合を例に挙げたが、保持手段はこれに限るものではなく、また、キーボードユニット３が、キーボード３０がキーボード台３１に対して着脱自在である場合を例に挙げたが、これらキーボード３０とキーボード３１とが一体なものであってよい。【００２８】
次に、表示画面２０の仰角調節について説明する。【００２９】
図８は、本実施形態のコンピュータの背面側からの外観斜視図であり、図９は、本実施形態のコンピュータの左側面側からの透視図である。【００３０】
図８および図９には、このコンピュータ１の表示画面２０の仰角が最大にされた状態が示されている。【００３１】
また、図８および図９には、支持ユニット４の構成要素である、床面に置かれたボトムプレート４１と、本体ユニット２の背面側中段に上縁が回動自在に、かつフリクションを持った状態で軸支されている支持板４２と、前縁がボトムプレート４１の後縁に回動自在に、かつフリクションを持った状態で軸支されているとともに後縁が支持板４２の下縁に回動自在に、かつフリクションを持った状態で軸支された補助プレート４３と、これらボトムプレート４１、支持板４２、および補助プレート４３に囲まれた内側で本体ユニット２を支持する補助支持部材４４とが示されている。【００３２】
補助プレート４３は、表示画面２０の仰角を増加させる方向に本体ユニット２を回動させたときに、ボトムプレート４１と共に床面に沿うようになっており、この補助プレート４３が床面に沿うと、ボトムプレート４１、補助プレート４３、および支持板４２が、いわばつっかい棒となり、本体ユニット２のそれ以上の回動が制止される。【００３３】
補助支持部材４４は、本体ユニット２の背面の、支持板４２の上縁が連結されている位置と本体ユニット２の下縁との中間の抉れた位置に上縁が回動自在に連結され、ボトムプレート４１の、前縁と後縁との中間の位置に下縁が回動自在に連結されている。また、補助支持部材４４には、内壁４４１で画定された開口が設けられている。尚、本実施形態のコンピュータ１では、本体ユニット２の下端がボトムプレートに接しているものの、本体ユニット２は、補助支持部材４４に主に支持されている。尚、このコンピュータ１では、仰角の変化により本体ユニット２が上下しないようにするために、補助支持部材４４が前傾姿勢をとるようにその下端がボトムプレート４１の所定位置に回動自在に取り付けられている。【００３４】
支持板４２には、中央付近に、内壁４２１で画定された開口４２ａが設けられている。また、支持板４２には、この支持板４２の左右両端から本体ユニット２に向けて延びた化粧カバー４５が備えられている。【００３５】
本体ユニット２の背面２ａには、化粧カバー２２が備えられており、支持板４２に備えられている化粧カバー４５と共に、本体ユニット２のコネクタ部２３を覆い隠している。【００３６】
また、図８および図９には、本体ユニット２の背面下部から突出した備えられた、複数のコネクタ２３０が埋め込まれたコネクタ部２３が、補助支持部材４４に設けられた開口に入り込んだ状態で、支持板４２に設けられた開口４２ａから離間している様子が示されている。【００３７】
また、図９には、コネクタ部２３のコネクタに、支持板４２に設けられている開口４２ａを通過してハーネス３００のコネクタ３０１が繋がれている様子も示されている。【００３８】
さらに、図９には、支持板４２の裏面の、開口４２１の周縁には、表示画面２０の仰角が所定の角度を下回らないように、表示画面２０の仰角が小さくなる向きに本体ユニット２が回動した際にコネクタ部２３が当接することでそれ以上の回動自在を制止する回動規制部材６が備えられている様子が示されている。【００３９】
また、図９には、ボトムプレート４１の底面と補助プレート４３の底面との双方に、滑り止めとしてラバー７が貼り付けられている様子が示されている。【００４０】
図１０は、本実施形態のコンピュータの背面側からの外観斜視図であり、図１１は、本実施形態のコンピュータの左側面側からの透視図である。【００４１】
図１０および図１１には、このコンピュータ１の表示画面２０の仰角が最小にされた状態が示されている。【００４２】
また、図１０および図１１には、図８および図９に比べて、本体ユニット２が床面に対して起立し、コネクタ部２３が、補助支持部材支持４４の開口を貫通し、支持板４２の裏面の回動規制部材６に当接している様子が示されている。【００４３】
図１０には、コネクタ部２３が回動規制部材６に当接したことで、コネクタ部２３が支持板４２の開口４２ａに接近し、支持板４２に備えられた化粧カバー４５が、本体ユニット２に背面に備えられた化粧カバー２２の内側に入り込み、ほとんど見えなくなっている様子も示されている。【００４４】
さらに、図１０および図１１には、補助プレート４３が床面から浮き上がっている様子が示されている。【００４５】
本実施形態のコンピュータ１では、主に補助支持部材４４により表示画面２０の仰角調整自在に支持された本体ユニット２は、補助プレート４３が床面に置かれることで、仰角が増加する方向への回動が制止され、補助プレート４３が床面から持ち上げられつつ、コネクタ部２３が回動規制部材６に当接することで仰角が減少する方向への回動が制止されている。つまり、このコンピュータ１では、本体ユニット２は表示画面２０の仰角の調整が自在な状態で補助支持部材４４により支持されていることから、本体ユニット２の抜重を伴なうことなく表示画面２０の仰角調整を行うことができる。したがって、このコンピュータ１によれば、表示画面２０の仰角調整を容易に行うことができる。また、このコンピュータ１では、補助支持部材４４が本体ユニット２を支持していることでボトムプレート４１が床面に強く押し付けられていると共に、ボトムプレート４１および補助プレート４３の底面にはラバー７が貼り付けられていることで、ユーザが本体ユニット２を回動させる際にボトムプレート４１に発生するグリップ力は大きいく、これにより本体ユニット２の回動操作がし易くなっている。さらに、このコンピュータ１では、本体ユニット２と支持板４２との間、支持板４２と補助プレート４３との間、および、ボトムプレート４１と補助プレート４３との間がそれぞれフリクションを持った状態で回動自在に軸支されていることから、上述の最大仰角と最小仰角との間の任意の角度を仰角とすることができる。また、このコンピュータ１では、本体ユニット２の背面２ａにコネクタ部２３を備え、支持板４３が、このコネクタ部２３に対応する位置に開口４２ａを有していることで、表示画面２０の仰角が増加する方向に本体ユニット２を回動させた通常使用時では、本体ユニット２のコネクタ２３０とハーネス３００のコネクタ３０１との結合部分を見えなくすることで美観に配慮することができ、また、表示画面２０の仰角が減少する方向に本体ユニット２を回動させることで、開口４２ａからコネクタ２３０を露出させ、コネクタの結合作業を簡易化することができる。また、本体ユニット２の背面２ａの化粧カバー２２と支持板４２の化粧カバー４５とで、最大仰角時に支持ユニット４内部が側面から見えないようにすることで美観についての配慮がなされている。
【図１】
2008117453.tif 000003
【図２】
2008117453.tif 000004
【図３】
2008117453.tif 000005
【図４】
2008117453.tif 000006
【図５】
2008117453.tif 000007
【図６】
2008117453.tif 000008
【図７】
2008117453.tif 000009
【図８】
2008117453.tif 000010
【図９】
2008117453.tif 000011
【図１０】
2008117453.tif 000012
【図１１】
2008117453.tif 000013
【国際調査報告】
2008117453.tif 000014
2008117453.tif 000015
2008117453.tif 000016